(57)【特許請求の範囲】
【請求項１】
固定用のクランプを設けた支持台に、釣竿を前後二点で支持する前部竿支持部と後部竿支持部を設け、
前記後部竿支持部が、後部寄りの枢止部を支点に釣竿の前後方向に沿って起伏動可能となるよう支持台の上に取付けた揺動部材と、釣竿に着脱自在に固定され、外周面の途中に設けた小径軸で前記揺動部材に対して係脱自在に取付ける係止軸の組み合わせからなり、
前記揺動部材に、係止軸が上部から抜き差し自在に嵌る大きさの遊嵌孔と、この遊嵌孔の前縁と後縁に、係止軸の小径軸が納まるよう連成した係止凹部を設け、
前記係止軸の小径軸が何れかの係止凹部内に納まる状態で、揺動部材に対して係止軸の上下への抜け止めと、前方又は後方へ向けての固定が得られるようにした釣竿支持装置。
【請求項２】
上記揺動部材が、遊嵌孔と係止凹部を設けた上板と、遊嵌孔に上から挿入した係止軸の下端が当接することにより、前記上板の厚みと係止軸の小径軸の高さ方向の位相を一致させる下板を備え、この下板が上板と平行し、下板に下端が当接した係止軸を前後にスライドさせることで小径軸を係止凹部に係脱させることができるようになっている請求項１に記載の釣竿支持装置。
【発明の詳細な説明】
【技術分野】
【０００１】
この発明は、釣竿を安定よく支持することができると共に、釣竿を簡単迅速に取り外すことができる釣竿支持装置に関する。
【背景技術】
【０００２】
例えば、船べり等に固定することにより釣竿を支持する釣竿支持装置は、固定用のクランプを設けた支持台に、釣竿を前後二点で支持することにより、支持した釣竿を下向き又は上向きに傾斜させることができるよう、前部竿支持部と後部竿支持部を設け、通常は釣竿から手を離しても潮の流れやかかった魚で釣竿が持っていかれないように、釣竿を固定化することができると共に、魚がかかったときは、前部竿支持部と後部竿支持部から釣竿を取外すことができるようになっている。
【０００３】
一般的に、釣竿支持装置は、前部竿支持部を二又状に形成し、釣竿を単に支持することにより、釣竿の取外しが自由となる構造になっている。
【０００４】
これに対して、後部竿支持部は、釣竿を潮の流れやかかった魚で釣竿が持っていかれないように固定化すると共に、魚がかかったときに釣竿を取外すことができ、しかも、釣竿を上下に揺動させることが可能な構造が採用される。
【０００５】
従来の釣竿支持装置における後部竿支持部は、係止軸の途中に小径軸を設けた雄側部材と、この雄側部材に抜き差し自在に外嵌し、前記係合軸の小径軸に対して係脱する係合部材と、この係合部材を操作するレバーを備えた雌側部材の組み合わせからなり、雄側部材と雌側部材の一方を釣竿に固定し、他方を支持台上に設けた揺動部材の上に固定した構造になっている（例えば、特許文献１又は２参照）。
【０００６】
上記した従来の釣竿支持装置における後部竿支持部は、釣竿を固定するとき、上記雄側部材と雌側部材を上下から嵌め合わせ、係合部材を係合軸の小径軸に対して係合させるようにするものであり、上記雄側部材と雌側部材の結合により、釣竿は外れないように固定化され、釣竿が潮の流れやかかった魚で持っていかれないようになり、また、揺動部材の作用により釣竿を上下に揺動させることができることになる。
【０００７】
また、釣竿を取外す場合は、先ず、雌側部材に設けた操作するレバーを解除位置になるよう操作し、次に、釣竿を上方に持ち上げることで雄側部材と雌側部材を分離することにより、釣竿をフリーの状態にする。
【先行技術文献】
【特許文献】
【０００８】
【特許文献１】特開平９−２０１１５４号公報
【特許文献２】特開２００１−１３６８８３号公報
【発明の概要】
【発明が解決しようとする課題】
【０００９】
ところで、従来の釣竿支持装置における後部竿支持部は、釣竿を取外す場合に、最初にレバーを解除位置に操作しなければならず、このため、釣竿の取外しに余分な手数と時間がかかることになり、魚がかかったときのように速やかに釣竿を取外したい場合に、気が焦って操作にまごつき、食い付いた魚の吊上げタイミングを逸することがあるという問題がある。
【００１０】
そこで、この発明の課題は、上記した問題点を解決するため、握った釣竿を手前に引いて持ち上げるだけで釣竿の固定を解除することができ、釣竿の取外しが余分な手数と時間をかけることなく速やかに行える釣竿支持装置を提供することにある。
【課題を解決するための手段】
【００１１】
上記の課題を解決するため、請求項１の発明は、固定用のクランプを設けた支持台に、釣竿を前後二点で支持する前部竿支持部と後部竿支持部を設け、前記後部竿支持部が、後部寄りの枢止部を支点に釣竿の前後方向に沿って起伏動可能となるよう支持台の上に取付けた揺動部材と、釣竿に着脱自在に固定され、外周面の途中に設けた小径軸で前記揺動部材に対して係脱自在に取付ける係止軸の組み合わせからなり、前記揺動部材に、係止軸が上部から抜き差し自在に嵌る大きさの遊嵌孔と、この遊嵌孔の前縁に、係止軸の小径軸が納まるよう連成した係止凹部を設け、前記係止軸の小径軸が係止凹部内に納まる状態で、揺動部材に対して係止軸の上下への抜け止めと、前方へ向けての固定が得られるようにしたものである。
【００１２】
請求項２の発明は、固定用のクランプを設けた支持台に、釣竿を前後二点で支持する前部竿支持部と後部竿支持部を設け、前記後部竿支持部が、後部寄りの枢止部を支点に釣竿の前後方向に沿って起伏動可能となるよう支持台の上に取付けた揺動部材と、釣竿に着脱自在に固定され、外周面の途中に設けた小径軸で前記揺動部材に対して係脱自在に取付ける係止軸の組み合わせからなり、前記揺動部材に、係止軸が上部から抜き差し自在に嵌る大きさの遊嵌孔と、この遊嵌孔の前縁と後縁に、係止軸の小径軸が納まるよう連成した係止凹部を設け、前記係止軸の小径軸が何れかの係止凹部内に納まる状態で、揺動部材に対して係止軸の上下への抜け止めと、前方又は後方へ向けての固定が得られるようにしたものである。
【００１３】
上記揺動部材が、遊嵌孔と係止凹部を設けた上板と、遊嵌孔に上から挿入した係止軸の下端が当接することにより、前記上板の厚みと係止軸の小径軸の高さ方向の位相を一致させる下板を備え、この下板が上板と平行し、下板に下端が当接した係止軸を前後にスライドさせることで小径軸を係止凹部に係脱させることができるようになっている構造とすることができる。
【００１４】
ここで、支持台は、強度のある金属製の帯板をコ字状に折り曲げ、上端に連成した斜め上向き傾斜板の先端を二又にして前部竿支持部とすると共に、下部水平板に固定用のクランプが設けられている。
【００１５】
上記揺動部材は、支持台の上部後方板に固定した一対のブラケット間に後部が納まり、ブラケットに装着した軸部材によって両側が支持され、軸部材を支点として上下に揺動自在になっていると共に、静止時の傾斜角度を、先端側下部に設けた調節脚で調節可能としたり、両側に設けた接地側壁によって一定になる構造になっている。
【００１６】
この揺動部材の上板における板厚と係止軸に設けた小径軸の軸方向の長さは、上下の段部間が上板の板厚に嵌り合う関係に設定され、この上板に設けた遊嵌孔は上下に係止軸の抜き差しが自由な大きさの角形に形成され、係止凹部は、小径軸の外径が丁度嵌る略半円径に形成され、小径軸を係止凹部に嵌め込むことにより、揺動部材と係止軸は上下方向に結合され、同時に、揺動部材に対して係止軸が、前方又は後方へ移動できないが遊嵌孔に向けて抜け出ることができるように結合される。
【発明の効果】
【００１７】
この発明によると、支持台に揺動部材を設け、釣竿に係止軸を固定し、前記揺動部材に、係止軸が上部から抜き差し自在に嵌る大きさの遊嵌孔と、この遊嵌孔の前縁に、係止軸の小径軸が納まるよう連成した係止凹部を設けたので、釣竿に固定した係止軸を遊嵌孔に挿入して釣竿を前方に移動させるだけで小径軸が係止凹部に嵌まり込み、揺動部材に対して釣竿は上下方向及び前方へ移動できないように結合され、釣竿の固定配置状態が得られると共に、釣竿を取外す場合は、釣竿を後方に引いて係止軸を係止凹部内に位置させた状態で持ち上げるようにすればよく、特に、釣竿の取外しが握った釣竿を後方に引いて持ち上げる動作だけでよく、釣竿の取外しに他の部材を操作するような余分な手数と時間をかけることなく速やかに行え、食い付いた魚の釣り上げ時に気が焦ってタイミングを逸するような事態の発生をなくすことができる。
【００１８】
また、後部竿支持部を形成する揺動部材が上下に揺動自在になっているので、支持した釣竿の上下揺動動作が支障なく行え、この揺動部材に設けた係止凹部は遊嵌孔の前縁に形成されているので、係止軸を係合させることにより、釣竿の前方への移動発生を防ぐことができ、釣竿から手を離していても、潮の流れや魚の引きによって釣竿が持っていかれるようなことがない。
【００１９】
更に、係止凹部を遊嵌孔の後縁にも形成すると、釣り針に餌をつけるときのように、釣竿に後方への移動力がかかった場合、後部の係止凹部に係止軸が係合することにより、揺動部材に対する釣竿の支持状態が維持でき、餌付け作業が円滑に行えるという利点がある。
【図面の簡単な説明】
【００２０】
【図１】この発明に係る釣竿支持装置の釣竿支持状態を示す縦断正面図
【図２】この発明に係る釣竿支持装置の分解斜視図
【図３】後部竿支持部を構成する第１の例の揺動部材と係止軸の関係を示し、（ａ）は揺動部材の遊嵌孔に係止軸が位置する状態の拡大した縦断正面図、（ｂ）は同横断平面図、（ｃ）は揺動部材の係止凹部に係止軸の小径軸が係合した状態を示す拡大した縦断正面図、（ｄ）は同横断平面図
【図４】揺動部材の第２の例を示し、（ａ）は拡大した平面図、（ｂ）は揺動部材の前部係止凹部に係止軸の小径軸が係合した状態を示す拡大した縦断正面図、（ｃ）は揺動部材の後部係止凹部に係止軸の小径軸が係合した状態を示す拡大した縦断正面図
【発明を実施するための形態】
【００２１】
以下、この発明の実施の形態を図示例に基づいて説明する。
【００２２】
図１と２のように、釣竿支持装置１は、船べりｂ等に固定する支持台２に釣竿ａを前後二点で支持する前部竿支持部３と後部竿支持部４を設けて形成され、前記支持台２は、強度のある帯状金属板を用いてコ字状に折り曲げた構造を有し、上部水平板２ａの端部に連成した斜め上向き傾斜板５の先端を二又にして前部竿支持部３とすると共に、下部水平板２ｂに、先端に押さえ部材６を備えた螺軸７をハンドル８で回転させるような固定用のクランプ９が設けられている。
【００２３】
上記上向き傾斜板５は、その長さや傾斜角度を選択することにより、釣竿ａの支持状態を水平から上向き傾斜の範囲で任意に設定することができる。
【００２４】
上記後部竿支持部４は、支持台２の上部に取付けた揺動部材１０と、釣竿ａのグリップ部分に着脱自在に固定され、前記揺動部材１０に対して係脱自在に取付ける係止軸１１の組み合わせからなり、この係止軸１１は、釣竿ａに対する取付け部材１２の下面に設けられ、略水平にした釣竿ａに対して下向きに突出する配置となる。
【００２５】
この取付け部材１２は、図２のように、上下対向面に釣竿ａの納まる弧状の凹溝を形成した上部取付け部材１２ａと下部取付け部材１２ｂの両端をビス１２ｃで結合する構造となり、下部取付け部材１２ｂの下面に設けた係止軸１１は、外周面に周溝を形成することによって下部先端寄りの位置に小径軸１３が設けられ、係止軸１１は小径軸１３の両端が段部１４、１５になっている。
【００２６】
図１乃至図３に示す第１の例の揺動部材１０は、係止軸１１の外径よりも広幅となる矩形状上板１６と、この上板１６の下部に設けた側壁１７及び後壁１８と、両側壁１７間に上板１６と所定の間隔を介して対向するよう設けた下板１９とで形成され、前記上板１６の板厚と係止軸１１に設けた小径軸１３の軸方向の長さは、係止軸１１の上下段部１４、１５間が上板１６の板厚に嵌り合うように設定され、この上板１６に、係止軸１１が上部から抜き差し自在に嵌る大きさの角形に形成された遊嵌孔２０と、この遊嵌孔２０の前縁に、小径軸１３の外径が丁度納まるよう連成した略半円形の係止凹部２１が設けられている。
【００２７】
上記遊嵌孔２０に係止軸１１を上から差し込んでその下部先端を下板１９に当接させると、図３（ａ）のように、小径軸１３が丁度上板１６の板厚に臨むことになり、係止軸１１をそのまま前方へスライドさせると、小径軸１３が係止凹部２１に嵌まり込むことになり、これによって、揺動部材１０と係止軸１１は上下方向に結合され、同時に、揺動部材に対して係止軸１１が、前方へ移動できないが後方へ抜け出ることができるように結合される。
【００２８】
上記揺動部材１０は、支持台２の後部で上方の位置に上方へ突出するよう対向状に固定した一対のブラケット２２間に後部が納まり、両ブラケット２２に装着した軸部材２３によって両側の側壁１７が同軸心に支持され、この軸部材２３を支点として上下に揺動自在となるよう支持台２に取り付けられ、静止時の傾斜角度を、図１のように、先端側下部に設けた調節脚２４で調節可能としたり、図４のように、両側の側壁１７を先端側に向けて広幅に形成し、支持台２上に接地する側壁１７によって傾斜が一定になるようにすることができる。
【００２９】
図４（ａ）乃至（ｃ）は、釣竿支持装置１に用いる第２の例の揺動部材１０ａを示している。この第２の例の揺動部材１０ａにおける基本的な構造は、上述した第１の例の揺動部材１０と同様であるが、図４（ａ）のように、上板１６に設けた遊嵌孔２０の前縁と後縁とに、小径軸１３の外径が丁度納まる略半円形の前部係止凹部２１ａと後部係止凹部２１ｂを、遊嵌孔２０を挟んで対称の配置で連成したものである。
【００３０】
この第２の例の揺動部材１０ａにおいて、前部係止凹部２１ａは第１の例と同様の作用を生じることになるが、遊嵌孔２０の後縁にも後部係止凹部２１ｂを設けることにより、釣竿支持装置１で釣竿ａを支持した状態で、釣り針に餌をつけたり、仕掛けを調整するときのように、釣り糸を手前に引くことで釣竿ａに後方への移動力がかかった場合、図４（ｃ）のように、後部の係止凹部２１ｂに係止軸１１を係合させることにより、揺動部材１０ａに対する釣竿ａの支持状態が維持でき、餌付けや仕掛けを調整の作業が円滑に行えることになる。
【００３１】
この発明の釣竿支持装置は、上記のような構成であり、第１の例の揺動部材１０を採用した場合において、釣竿ａを支持するには、図１のように、船べりｂ等に嵌め込んだ支持台２をクランプ９のねじ込み操作によって固定し、釣竿ａにはグリップの部分に予め取り付け部材１２を固定しておく。
【００３２】
握った釣竿ａの前方位置を前部竿支持部３に載置し、下向きにした係止軸１１を揺動部材１０の遊嵌孔２０の直上に臨ませ、この状態で、図３（ａ）と（ｂ）のように、釣竿ａを下降させて係止軸１１を遊嵌孔２０に挿入し、係止軸１１の下部先端を下板１９上に当接させる。
【００３３】
この状態で、握った釣竿ａを前方に押すと、係止軸１が前進することで図３（ｃ）と（ｄ）のように、小径軸１３が係止凹部２１に嵌まり込み、係止軸１１の上下段部１４、１５と上板１６の関係で揺動部材１０に対して係止軸１１が上下に抜け止めとなり、また、係止凹部２１によって前方へ向けての固定が得られることになる。
【００３４】
図１は、釣竿ａの支持状態を示し、釣竿ａは前部竿支持部３と後部竿支持部４で二箇所を支持されて水平や先端上がりの傾斜状となり、小径軸１３が係止凹部２１に嵌まり込んでいるため、釣竿ａの前方への移動発生がなく、釣竿ａのグリップから手を離しても、潮の流れや魚の引きによって釣竿ａが持っていかれるようなことがない。
【００３５】
また、後部竿支持部４において、係止軸１１が揺動部材１０の係止凹部２１に嵌まり込んでいるので、この揺動部材１０の軸部材２３を支点とする回動を利用し、グリップ側を上下動させれば前部竿支持部３を支点にして釣竿ａを上下方向に揺動させることができる。
【００３６】
上記釣竿ａを支持台２から取外す場合は、握った釣竿ａを後方に引いた後、持ち上げるようにすればよく、釣竿ａを後方に引くと、係止軸１１は係止凹部２１から離脱して遊嵌孔２０内に位置することになり、従って、遊嵌孔２０内に係止軸１１が位置する状態で釣竿ａを持ち上げれば、係止軸１１は揺動部材１０から抜け出るので、釣竿ａは支持台２に対してフリーとなる。
【００３７】
また、第２の例の揺動部材１０ａの場合、支持した釣竿ａの前方への固定と係止軸１１の遊嵌孔２０からの取外しは第１の例の揺動部材１０と同様であるが、遊嵌孔２０の後縁に後部係止凹部２１ｂが設けてあるので、餌付けや仕掛けを調整のために釣竿ａが後方に移動したときに、後部の係止凹部２１ｂに係止軸１１が係合することにより、揺動部材１０ａに対する釣竿ａの支持状態が維持でき、餌付けや仕掛けを調整の作業が円滑に行えることになる。
【００３８】
このように、この発明の釣竿支持装置１は、釣竿ａを支持するときは、釣竿ａを下向きと前方へ移動させることによって行なえ、また、釣竿ａを取外す場合は、釣竿ａを後方に引いて持ち上げる動作により行えるので、釣竿ａの支持及び取外しが簡単にワンタッチ動作で可能となり、特に、魚がかかって釣竿ａを取外す場合、釣竿ａの取外しに他の部材を操作するような余分な手数と時間をかけることなく速やかに行えるので、食い付いた魚の釣り上げ時に気が焦ってタイミングを逸するような事態の発生をなくすことができる。
【符号の説明】
【００３９】
１        釣竿支持装置
２        支持台
３        前部竿支持部
４        後部竿支持部
５        傾斜板
６        押さえ部材
７        螺軸
８        ハンドル
９        クランプ
１０      揺動部材
１０ａ    揺動部材
１１      係止軸
１２      取付け部材
１３      小径軸
１４      段部
１５      段部
１６      矩形状上板
１７      側壁
１８      後壁
１９      下板
２０      遊嵌孔
２１      係止凹部
２１ａ    前部係止凹部
２１ｂ    後部係止凹部
２２      ブラケット
２３      軸部材
２４      調節脚
ａ        釣竿
【図１】
0005534577.tif 000002
【図２】
0005534577.tif 000003
【図３】
0005534577.tif 000004
【図４】
0005534577.tif 000005